(57)【要約】【課題】トリマー刃を搭載しつつも、電気かみそり本体の例えばヘッド部を小型に抑えることができる電気かみそりを提供する。【解決手段】体毛が導入可能な外刃２３ａとモータ２４の駆動に基づいて往復振動される内刃２３ｂとを有するヘッド部２２を備えた電気かみそり本体１１と、電気かみそり本体１１に対してヘッド部２２を覆うように着脱可能なキャップ部材１２とを備え、キャップ部材１２には、ヘッド部２２に設けられたモータ２４の駆動に基づき駆動可能なトリマー刃３３が設けられる。【選択図】図１
2011062451.tif 000002
【特許請求の範囲】
【請求項１】
体毛が導入可能な外刃と内刃駆動源の駆動に基づいて駆動される内刃とを有するヘッド部を備えた電気かみそり本体と、
前記電気かみそり本体のヘッド部に対して着脱可能なキャップ部材と
を備え、
前記キャップ部材には、トリマー駆動源の駆動に基づき駆動可能なトリマー刃が設けられたことを特徴とする電気かみそり。
【請求項２】
請求項１に記載の電気かみそりにおいて、
前記ヘッド部は、前記電気かみそり本体の胴部に対して可動するように設けられ、
前記キャップ部材及び前記電気かみそり本体にそれぞれ設けられ前記キャップ部材の装着状態で互いに係合可能なキャップ側係合部及び本体側係合部とからなるヘッドロック手段を備え、前記各係合部が互いに係合することで前記胴部に対する前記ヘッド部の動きが規制されるように構成されたことを特徴とする電気かみそり。
【請求項３】
請求項２に記載の電気かみそりにおいて、
前記キャップ側係合部及び前記本体側係合部は、前記電気かみそり本体に対する前記キャップ部材の装着動作により互いに係合するように構成されたことを特徴とする電気かみそり。
【請求項４】
請求項２に記載の電気かみそりにおいて、
前記キャップ部材には、前記トリマー刃を非使用位置から使用位置に可動させるためのトリマー可動手段が設けられ、
前記キャップ側係合部及び前記本体側係合部は、前記トリマー可動手段の動作に基づき互いに係合するように構成されたことを特徴とする電気かみそり。
【請求項５】
請求項１〜４のいずれか１項に記載の電気かみそりにおいて、
前記キャップ部材には、前記トリマー駆動源の駆動を前記トリマー刃に伝達可能な状態と伝達不能な状態とに切り替えるための切替手段が設けられたことを特徴とする電気かみそり。
【請求項６】
請求項５のいずれか１項に記載の電気かみそりにおいて、
前記キャップ部材には、前記トリマー刃を非使用位置から使用位置に可動させるためのトリマー可動手段が設けられ、
前記トリマー可動手段の動作と前記切替手段の動作とが連動するように構成されたことを特徴とする電気かみそり。
【請求項７】
請求項１〜６のいずれか１項に記載の電気かみそりにおいて、
前記内刃駆動源及び前記トリマー駆動源は、同一の駆動源であることを特徴とする電気かみそり。
【請求項８】
請求項１〜７のいずれか１項に記載の電気かみそりにおいて、
前記内刃は、前記内刃駆動源の駆動に基づいて往復駆動されるように構成されたことを特徴とする電気かみそり。
【請求項９】
請求項１〜８のいずれか１項に記載の電気かみそりにおいて、
前記トリマー駆動源は、前記ヘッド部に設けられたであることを特徴とする電気かみそり。
【発明の詳細な説明】
【技術分野】
【０００１】
本発明は、例えばもみあげやえりあし等を手入れするためのトリマー刃（きわぞり刃）を搭載した電気かみそりに関するものである。
【背景技術】
【０００２】
電気かみそりは、体毛が導入可能な例えば網目状の外刃と往復振動される内刃とを有するヘッド部を胴部（把持部）の上端部に備え、ヘッド部の外刃内に導入された髭等の体毛がその外刃と電磁アクチュエータにて往復振動する内刃とで挟んで切除されるようになっている。このような電気かみそりにおいて、前記外刃と内刃のユニットに加えてトリマー刃（トリマーユニット）を備えた電気かみそりが知られている（例えば特許文献１参照）。
【０００３】
トリマー刃は、例えば電気かみそりの側面部に設けられ、固定刃とヘッド部の内刃に対し係合可能な可動刃とを備えている。ヘッド部の内刃とトリマー刃の可動刃とは係合状態において一体に往復振動するようになっており、トリマー刃は固定刃と往復振動する可動刃とで体毛を切断可能に構成されている。このような電気かみそりでは、刃ユニットで主要な髭（例えば顎髭や鼻下の髭）を手入れし、トリマー刃で例えばもみあげやえりあし等の際部分の体毛を手入れすることが可能となっている。
【先行技術文献】
【特許文献】
【０００４】
【特許文献１】特開２００８−１４２２７４号公報
【発明の概要】
【発明が解決しようとする課題】
【０００５】
しかしながら、上記したような電気かみそりでは、トリマー刃が本体のハウジングに設けられているため、その分本体が大型化するといった問題があった。
本発明は、上記課題を解決するためになされたものであって、その目的は、トリマー刃を搭載しつつも、電気かみそり本体の例えばヘッド部を小型に抑えることができる電気かみそりを提供することにある。
【課題を解決するための手段】
【０００６】
上記課題を解決するために、請求項１に記載の発明は、体毛が導入可能な外刃と内刃駆動源の駆動に基づいて駆動される内刃とを有するヘッド部を備えた電気かみそり本体と、前記電気かみそり本体のヘッド部に対して着脱可能なキャップ部材とを備え、前記キャップ部材には、トリマー駆動源の駆動に基づき駆動可能なトリマー刃が設けられたことを特徴とする。
【０００７】
この発明では、電気かみそり本体に対して着脱可能なキャップ部材にトリマー刃が設けられるため、電気かみそり本体にトリマー刃を設ける必要がなくなる。そのため、トリマー刃を搭載しつつも、電気かみそり本体を小型に抑えることができる。また、トリマー刃を電気かみそり本体に設けなくても済むことで、電気かみそり本体の軽量化、電気かみそり本体のデザイン上の制約が減ることによるデザイン性の向上を図ることができる。また、電気かみそり本体を水洗いした場合、電気かみそり本体にトリマー刃が設けられていない分、乾燥に掛かる時間を短縮させることが可能となる。
【０００８】
請求項２に記載の発明は、請求項１に記載の電気かみそりにおいて、前記ヘッド部は、前記電気かみそり本体の胴部に対して可動するように設けられ、前記キャップ部材及び前記電気かみそり本体にそれぞれ設けられ前記キャップ部材の装着状態で互いに係合可能なキャップ側係合部及び本体側係合部とからなるヘッドロック手段を備え、前記各係合部が互いに係合することで前記胴部に対する前記ヘッド部の動きが規制されるように構成されたことを特徴とする。
【０００９】
この発明では、電気かみそり本体の胴部に対するヘッド部の動きを規制するためのキャップ側係合部及び本体側係合部とからなるヘッドロック手段が設けられる。このため、従来技術のようにヘッドロック手段を電気かみそり本体側だけで構成しなくても済むため、電気かみそり本体のより一層の小型化、軽量化及びデザイン性の向上を図ることができる。
【００１０】
請求項３に記載の発明は、請求項２に記載の電気かみそりにおいて、前記キャップ側係合部及び前記本体側係合部は、前記電気かみそり本体に対する前記キャップ部材の装着動作により互いに係合するように構成されたことを特徴とする。
【００１１】
この発明では、電気かみそり本体にキャップ部材を装着することでキャップ側係合部及び本体側係合部を互いに係合させることができるため、ヘッド部をヘッドロックする（つまり、各係合部を互いに係合させる）ための追加動作を省略することができる。また、キャップ部材を装着すると必ずヘッドロックされるため、持ち運び時等にヘッド部が胴部に対し動かないようにできる。
【００１２】
請求項４に記載の発明は、請求項２に記載の電気かみそりにおいて、前記キャップ部材には、前記トリマー刃を非使用位置から使用位置に可動させるためのトリマー可動手段が設けられ、前記キャップ側係合部及び前記本体側係合部は、前記トリマー可動手段の動作に基づき互いに係合するように構成されたことを特徴とする。
【００１３】
この発明では、トリマー可動手段によりトリマー刃を非使用位置から使用位置に可動させる際に、キャップ側係合部及び本体側係合部を互いに係合させることができるため、ヘッド部をヘッドロックする（つまり、各係合部を互いに係合させる）ための追加動作を省略することができる。また、トリマー刃の使用時には、ヘッド部が必ずロックされるため、ヘッド部がふらつかずトリマー刃で髭等を狙いやすくすることができる。
【００１４】
請求項５に記載の発明は、請求項１〜４のいずれか１項に記載の電気かみそりにおいて、前記キャップ部材には、前記トリマー駆動源の駆動を前記トリマー刃に伝達可能な状態と伝達不能な状態とに切り替えるための切替手段が設けられたことを特徴とする。
【００１５】
この発明では、切替手段がキャップ部材に設けられるため、切替手段を電気かみそり本体に設けずに済む。これにより、電気かみそり本体のより一層の小型化、軽量化及びデザイン性の向上を図ることができる。
【００１６】
請求項６に記載の発明は、請求項５のいずれか１項に記載の電気かみそりにおいて、前記キャップ部材には、前記トリマー刃を非使用位置から使用位置に可動させるためのトリマー可動手段が設けられ、前記トリマー可動手段の動作と前記切替手段の動作とが連動するように構成されたことを特徴とする。
【００１７】
この発明では、トリマー刃を使用位置にすると同時にトリマー駆動源の駆動をトリマー刃に伝達可能な状態とすることができるため、トリマー刃を使用可能状態とする動作を少なく抑えることができる。
【００１８】
請求項７に記載の発明は、請求項１〜６のいずれか１項に記載の電気かみそりにおいて、前記内刃駆動源及び前記トリマー駆動源は、同一の駆動源であることを特徴とする。
この発明では、トリマー駆動源と内刃駆動源とを別々に設けなくても済むため、電気かみそり本体をより小型に抑えることができる。
【００１９】
請求項８に記載の発明は、請求項１〜７のいずれか１項に記載の電気かみそりにおいて、前記内刃は、前記内刃駆動源の駆動に基づいて往復駆動されるように構成されたことを特徴とする。
【００２０】
この発明では、内刃が往復駆動されるタイプの電気かみそりの小型化を図ることができる。
請求項９に記載の発明は、請求項１〜８のいずれか１項に記載の電気かみそりにおいて、前記トリマー駆動源は、前記ヘッド部に設けられたであることを特徴とする。
【００２１】
この発明では、トリマー駆動源をキャップ部材のトリマー刃に対してより近い位置に配置することが可能となるため、トリマー刃とトリマー駆動源とを駆動連結する機構の簡素化を図ることができる。
【発明の効果】
【００２２】
従って、上記記載の発明によれば、トリマー刃を搭載しつつも、電気かみそり本体の例えばヘッド部を小型に抑えることができる。
【図面の簡単な説明】
【００２３】
【図１】本実施形態の電気かみそりの模式図。
【図２】トリマー刃を使用可能な状態の電気かみそりの模式図。
【図３】別例の電気かみそりの模式図。
【図４】トリマー刃を使用可能な状態の電気かみそりの模式図。
【発明を実施するための形態】
【００２４】
以下、本発明を具体化した一実施形態を図面に従って説明する。
図１に示すように、本実施形態の電気かみそり１は、電気かみそり本体１１と、電気かみそり本体１１に対して着脱可能なキャップ部材１２とを備えている。
【００２５】
電気かみそり本体１１は、把持可能な胴部２１と、胴部２１の上端部に設けられたヘッド部２２とを備えている。ヘッド部２２は、胴部２１に対する前後方向（図における左右方向）への傾動、左右方向（紙面直交方向）への傾動、及び上下方向への移動のうちの少なくとも１つの動作が可能となるように構成されている。本実施形態では、ヘッド部２２は、胴部２１に対して固定された支軸Ｓを軸として前後方向（図における左右方向）に傾動可能に構成されている。
【００２６】
ヘッド部２２の上部には、刃ユニット２３が設けられている。刃ユニット２３は、体毛が導入可能な例えば網目状の外刃２３ａと、ヘッド部２２内に設けられたモータ２４の駆動により往復振動（紙面直交方向）される内刃２３ｂとを有している。尚、外刃２３ａ及び内刃２３ｂは、複数設けられている。内刃２３ｂは、外刃２３ａの内側に設けられており、図示しないスプリングにより外刃２３ａの内面に押圧されている。
【００２７】
モータ２４には、胴部２１内に設けられた電池２５の電力が接続線２６を介して供給されるようになっている。モータ２４は、胴部２１に設けられた操作スイッチ２７の操作に基づき駆動され、その駆動力にて刃ユニット２３の内刃２３ｂが往復振動される。そして、外刃２３ａ内に導入された髭等の体毛がその外刃２３ａと往復振動する内刃２３ｂとで挟んで切除されるようになっている。
【００２８】
上記のような電気かみそり本体１１のヘッド部２２に対して着脱可能なキャップ部材１２は、ヘッド部２２の少なくとも刃ユニット２３を覆うカバー部３１を有しており、電気かみそり本体１１を使用しない時にはキャップ部材１２を装着して刃ユニット２３が露出しない状態にすることができる。
【００２９】
カバー部３１における前後方向の側面部の一方（図における右側の側面部）には、上下方向にスライド可能なハンドル３２と、回動可能なトリマー刃３３とが設けられている。ヘッド部２２の刃ユニット２３が例えば顎髭や鼻下の髭を剃るためのものであるのに対し、トリマー刃３３は例えば伸ばした髭の形作りや、もみあげやえりあし等（際部分）を手入れするためのものである。
【００３０】
ハンドル３２の上部には、連結部３４が該ハンドル３２と一体移動可能に設けられている。ハンドル３２がオフ位置（図１参照）から上方に押し上げられてオン位置（図２参照）にされると、トリマー刃３３は、刃部３３ａが下を向いた非使用位置（トリマー刃３３全体はカバー部３１に沿った状態）から刃部３３ａが側方を向いた使用位置に回動するとともに、連結部３４は、刃ユニット２３の内刃２３ｂと一体に往復振動する伝達部３５に係合する。そして、連結部３４と伝達部３５とが係合している状態では、伝達部３５の往復振動が連結部３４を介してトリマー刃３３に伝達可能となる。即ち、ハンドル３２がオフ位置からオン位置に操作されると、トリマー刃３３が使用位置まで回動するとともに、モータ２４の駆動がトリマー刃３３に伝達可能な状態（トリマー刃３３の使用可能状態）となる。この状態で操作スイッチ２７の操作によりモータ２４が駆動されると、トリマー刃３３が駆動する。
【００３１】
また、ハンドル３２がオフ位置からオン位置に操作されると、トリマー刃３３が非使用位置まで回動するとともに、連結部３４と伝達部３５との係合状態が解除されてモータ２４の駆動がトリマー刃３３に伝達不能な状態となる。これにより、トリマー刃３３を使用しないときはトリマー刃３３をカバー部３１に沿った状態（非使用位置）にすることが可能となるため、トリマー刃３３を使用しない状態においてキャップ部材１２をコンパクトに抑えることが可能となっている。
【００３２】
また、キャップ部材１２は、取付側端部にヘッドロック手段を構成するキャップ側係合部４１を有している。一方、電気かみそり本体１１の胴部２１は、ヘッドロック手段を構成する本体側係合部４２を有している。そして、キャップ部材１２の装着状態において各係合部４１，４２は互いに係合し、その係合状態では、胴部２１に対するヘッド部２２の前後傾動が規制（ヘッドロック）されるようになっている。尚、各係合部４１，４２の構成としては、本体側係合部４２を凹形状に形成し、そこにキャップ側係合部４１を嵌合させる構成としてもよく、また、キャップ部材１２の取付側端部（キャップ側係合部）を胴部２１まで延長して胴部２１の上端部をキャップ部材１２に嵌め込む構成としてもよい。
【００３３】
このキャップ側係合部４１と本体側係合部４２との係合は、キャップ部材１２の装着動作によってなされるようになっている。即ち、キャップ部材１２をヘッド部２２に装着することで、各係合部４１，４２は互いに係合する。これにより、キャップ部材１２を装着するだけで、ヘッド部２２がヘッドロックされるようになっている。また、キャップ部材１２の装着状態ではヘッド部２２はヘッドロックされているため、トリマー刃３３の使用時にヘッド部２２が胴部２１に対して移動せず安定した状態でトリマー刃３３を使用することが可能となっている。
【００３４】
上記したような電気かみそり１では、トリマー刃３３がキャップ部材１２に設けられているため、電気かみそり本体１１にトリマー刃３３を設けずに済み、電気かみそり本体１１を小型で軽量に抑え、また、電気かみそり本体１１の構成の複雑化を抑えることができるようになっている。そして、電気かみそり本体１１（ヘッド部２２）を小型に抑えることで、刃ユニット２３にて鼻下を剃りやすくなり、また、電気かみそり本体１１を自動洗浄器に挿入する際にヘッド部２２が洗浄器口に引っ掛かってしまうといったことを抑制し、また更に、電気かみそり本体１１の外観性の向上を図ることが可能となっている。
【００３５】
次に、本実施形態の特徴的な作用効果を記載する。
（１）本実施形態では、体毛が導入可能な外刃２３ａとモータ２４の駆動に基づいて往復振動される内刃２３ｂとを有するヘッド部２２を備えた電気かみそり本体１１と、電気かみそり本体１１に対してヘッド部２２を覆うように着脱可能なキャップ部材１２とを備え、キャップ部材１２には、ヘッド部２２に設けられたモータ２４の駆動に基づき駆動可能なトリマー刃３３が設けられる。従って、電気かみそり本体１１にトリマー刃３３を設ける必要がなくなるため、トリマー刃３３を搭載しつつも、電気かみそり本体１１を小型に抑えることができる。また、トリマー刃３３を電気かみそり本体１１に設けなくても済むことで、電気かみそり本体１１の軽量化、電気かみそり本体１１のデザイン上の制約が減ることによるデザイン性の向上を図ることができる。また、電気かみそり本体１１を水洗いした場合、電気かみそり本体１１にトリマー刃３３が設けられていない分、乾燥に掛かる時間を短縮させることが可能となる。また、ヘッド部２２の可動範囲がトリマー機構（トリマー刃３３及びハンドル３２等）の制約を受けなくて済むため、より大きなヘッド部２２の動作を実現することが可能となる。
【００３６】
（２）本実施形態では、ヘッド部２２は、電気かみそり本体１１の胴部２１に対して可動するように設けられ、キャップ部材１２及び電気かみそり本体１１にそれぞれ設けられキャップ部材１２の装着状態で互いに係合可能なキャップ側係合部４１及び本体側係合部４２とからなるヘッドロック手段を備え、各係合部４１，４２が互いに係合することで胴部２１に対するヘッド部２２の動きが規制されるように構成される。このため、従来技術のようにヘッドロック手段を電気かみそり本体１１側だけで構成しなくても済むため、電気かみそり本体１１のより一層の小型化、軽量化及びデザイン性の向上を図ることができる。
【００３７】
（３）本実施形態では、キャップ側係合部４１及び本体側係合部４２は、電気かみそり本体１１に対するキャップ部材１２の装着動作により互いに係合するように構成される。従って、電気かみそり本体１１にキャップ部材１２を装着することでキャップ側係合部４１及び本体側係合部４２を互いに係合させることができるため、ヘッド部２２をヘッドロックする（つまり、各係合部４１，４２を互いに係合させる）ための追加動作を省略することができる。また、キャップ部材１２を装着すると必ずヘッドロックされるため、電気かみそり１の持ち運び時等にヘッド部２２が胴部２１に対し動かないようにできる。
【００３８】
（４）本実施形態では、キャップ部材１２には、トリマー刃３３を非使用位置から使用位置に可動させるためのトリマー可動手段（ハンドル３２）が設けられる。このため、トリマー刃３３を使用しないときは非使用位置に、使用するときは使用位置へと可動することができる。
【００３９】
（５）本実施形態では、キャップ部材１２には、モータ２４の駆動をトリマー刃３３に伝達可能な状態と伝達不能な状態とに切り替えるための切替手段（ハンドル３２、連結部３４及び伝達部３５）が設けられる。従って、切替手段を電気かみそり本体１１に設けずに済むため、電気かみそり本体１１のより一層の小型化、軽量化及びデザイン性の向上を図ることができる。
【００４０】
（６）本実施形態では、ハンドル３２の動作と連結部３４の動作とが連動するように構成される。即ち、ハンドル３２の操作によりトリマー刃３３への駆動力の伝達と非伝達を切り替えることが可能となるため、トリマー刃３３を使用位置にすると同時にモータ２４の駆動をトリマー刃３３に伝達可能な状態とすることができ、その結果、トリマー刃３３を使用可能状態とする動作を少なく抑えることができる。
【００４１】
（７）本実施形態では、内刃用の駆動源（内刃駆動源）及びトリマー刃用の駆動源（トリマー駆動源）は同一のモータ２４からなるため、内刃用の駆動源とトリマー用の駆動源とを別々に設けなくても済み、電気かみそり本体１１をより小型に抑えることができる。
【００４２】
（８）本実施形態では、モータ２４がヘッド部２２に設けられるため、モータ２４をキャップ部材１２のトリマー刃３３に対してより近い位置に配置することが可能となり、トリマー刃３３とモータ２４とを駆動連結する機構の簡素化を図ることができる。
【００４３】
尚、本発明の実施形態は、以下のように変更してもよい。
・上記実施形態では、キャップ側係合部４１及び本体側係合部４２は、電気かみそり本体１１に対するキャップ部材１２の装着動作により互いに係合するように構成されたが、ハンドル３２の動作に基づき互いに係合するように構成してもよい。例えば図３及び図４に示すように、ハンドル３２は、オフ位置（図３参照）から押し下げてオン位置（図４参照）にされるものであり、ハンドル３２の下部にキャップ側係合部としての連結部５１が設けられている。ハンドル３２がオン位置にされると、トリマー刃３３が非使用位置から使用位置に回動するとともに、連結部５１が本体側係合部４２と係合する。このように、連結部５１と本体側係合部４２とが係合されるとヘッド部２２がヘッドロックされるようになっている。また、このとき、連結部５１は伝達部３５と係合し、連結部５１と伝達部３５とが係合している状態では、伝達部３５の運動が連結部５１を介してトリマー刃３３に伝達されるようになっている（上記実施形態と同様）。このようにして、トリマー刃３３が使用可能状態とされる。
【００４４】
このような構成によれば、ハンドル３２によりトリマー刃３３を非使用位置から使用位置に可動させる際に、キャップ側係合部としての連結部５１と本体側係合部４２とを互いに係合させることができるため、ヘッド部２２をヘッドロックする（つまり、連結部５１及び本体側係合部４２を互いに係合させる）ための追加動作を省略することができる。また、トリマー刃３３の使用時には、ヘッド部２２が必ずロックされるため、ヘッド部２２がふらつかずトリマー刃３３で髭等を狙いやすくすることができる。
【００４５】
・上記実施形態では、ハンドル３２及びトリマー刃３３は、キャップ部材１２のカバー部３１の側面部に設けられたが、これ以外に例えば、カバー部３１の上面部に設けてもよい。
【００４６】
・上記実施形態では、内刃用の駆動源及びトリマー刃用の駆動源は同一のモータ２４であったが、特にこれに限定されるものではなく、それぞれ別のモータで駆動されるように構成してもよい。
【００４７】
・上記実施形態では、モータ２４がヘッド部２２内に設けられたが、これ以外に例えば、胴部２１内に設けてもよい。この構成によれば、ヘッド部２２を小型にすることが可能となる。
【００４８】
・上記実施形態では、ヘッド部２２は、胴部２１に対して前後方向に傾動可能となるように構成されたが、特にこれに限定されるものではなく、前後方向の傾動、左右方向の傾動、及び上下方向への移動のうちの少なくとも１つの動作が可能となるように構成してもよく、また、胴部２１に対して固定してもよい。
【００４９】
・上記実施形態では、特に言及していないが、ヘッド部２２のハウジングと胴部２１のハウジングとが別体で構成されているが、それらのハウジングを一体で構成（ハウジング間の明確な境が無い構成）としてもよい。
【００５０】
・上記実施形態では、内刃２３ｂを往復駆動刃としたが、特にこれに限定されるものではなく、例えば回転刃やロータリー刃としてもよい。
【符号の説明】
【００５１】
１…電気かみそり、１１…電気かみそり本体、１２…キャップ部材、２１…胴部、２２…ヘッド部、２３ａ…外刃、２３ｂ…内刃、２４…内刃駆動源及びトリマー駆動源としてのモータ、３２…トリマー可動手段及び切替手段を構成するハンドル、３３…トリマー刃、３４…切替手段を構成する連結部、３５…切替手段を構成する伝達部、４１…キャップ側係合部、４２…本体側係合部、５１…切替手段及び本体側係合部を構成する連結部。
【図１】
2011062451.tif 000003
【図２】
2011062451.tif 000004
【図３】
2011062451.tif 000005
【図４】
2011062451.tif 000006